(57)【要約】  シークレット設定されたデータの存在を容易にユーザに認識させる入力装置を提供する。  本発明に係る入力装置１０１は、表示項目に対応するデータ毎に非表示設定が可能な入力装置１０１において、接触を検出するタッチセンサ１０４と、表示部１０３と、タッチセンサ１０４に接触している接触物に対して触感を呈示する触感呈示部１０７と、表示部１０３に表示されている表示項目において、当該表示項目に対応する非表示設定されたデータが存在する場合、タッチセンサ１０４に接触している接触物に対して触感を呈示するように触感呈示部１０７を制御する制御部１０８とを備える。
2012108214.tif 000002
【特許請求の範囲】
【請求項１】
表示項目に対応するデータ毎に非表示設定が可能な入力装置において、
接触を検出するタッチセンサと、
表示部と、
前記タッチセンサに接触している接触物に対して触感を呈示する触感呈示部と、
前記表示部に表示されている表示項目において、当該表示項目に対応する非表示設定されたデータが存在すると、前記タッチセンサに接触している接触物に対して触感を呈示するように前記触感呈示部を制御する制御部と
を備える入力装置。
【請求項２】
請求項１に記載の入力装置において、
当該入力装置は更に、前記タッチセンサに対する押圧を検出する押圧検出部を備え、
前記制御部は、前記表示部に表示されている表示項目において、当該表示項目に対応する非表示設定されたデータが存在し、且つ前記タッチセンサに対する押圧に基づくデータが閾値以上であると、前記タッチセンサに接触している接触物に対して触感を呈示するように前記触感呈示部を制御する
ことを特徴とする入力装置。
【請求項３】
請求項２に記載の入力装置において、表示項目に対応するデータの非表示設定の種類が複数存在する場合、前記制御部は、前記非表示設定の種類に対応する複数の閾値を設定することを特徴とする入力装置。
【請求項４】
請求項１に記載の入力装置において、前記触感呈示部が触感を呈示した後に、前記タッチセンサが所定の軌跡条件を満たす接触を検出する場合、前記制御部は、前記非表示設定されたデータの非表示設定を解除し、前記非表示設定されたデータを表示するように前記表示部を制御することを特徴とする入力装置。
【請求項５】
請求項４に記載の入力装置において、前記制御部は、前記非表示設定されたデータの非表示設定を解除した後に前記タッチセンサが所定の条件を満たす接触を新たに検出する場合、前記非表示設定が解除されたデータを再度非表示にするように前記表示部を制御することを特徴とする入力装置。
【請求項６】
請求項１に記載の入力装置において、非表示設定されているデータが複数存在する場合、前記制御部は、前記表示部に表示された表示項目に対応して非表示設定されているデータの個数に応じて、接触物に対する触感の呈示回数が変化するように前記触感呈示部を制御することを特徴とする入力装置。
【請求項７】
請求項１に記載の入力装置において、前記制御部は、前記タッチセンサが検出する前記接触の位置が所定の位置である場合に、前記タッチセンサに接触している接触物に対して触感を呈示するように前記触感呈示部を制御することを特徴とする入力装置。
【請求項８】
請求項１に記載の入力装置において、前記非表示設定されたデータを有する第１データ群及び前記非表示設定されたデータを有さない第２データ群が存在し、前記第１データ群に対応する第１識別情報及び前記第２データ群に対応する第２識別情報が前記表示部に表示されている場合に、
前記制御部は、前記タッチセンサが検出する前記接触の位置が前記第１識別情報が表示されている位置であると、前記タッチセンサに接触している接触物に対して触感を呈示し、前記位置が前記第２識別情報が表示されている位置であると、前記接触物に対して触感を呈示しないように前記触感呈示部を制御することを特徴とする入力装置。
【請求項９】
請求項８に記載の入力装置において、前記第１データ群は、非表示設定されていないデータを含み、前記タッチセンサが当該非表示設定されていないデータへの接触を検出すると、前記制御部は、前記非表示設定されていないデータの詳細情報を表示するように前記表示部を制御することを特徴とする入力装置。
【発明の詳細な説明】
【関連出願へのクロスリファレンス】
【０００１】
本出願は、日本国特許出願２０１１−０２７４３２号（２０１１年２月１０日出願）の優先権を主張するものであり、当該出願の開示全体を、ここに参照のために取り込む。
【技術分野】
【０００２】
本発明は、入力装置に関するものであり、特にデータの非表示設定が可能な入力装置に関するものである。
【背景技術】
【０００３】
携帯電話端末等の入力装置は、知人の名前、電話番号、メールアドレス等を管理するアドレス帳アプリケーション（電話帳アプリケーション）やユーザの予定を管理するスケジュールアプリケーション等を有していることが多い。これらのアプリケーションにより扱われる情報には、個人的な情報が含まれる。そのため、アドレス帳アプリケーション等で登録されるデータの中には、第三者（他人）に見られたくないデータが存在することがある。【０００４】
このような場合を考慮して、従来の携帯電話端末には、登録したデータを表示しない非表示設定（シークレット設定）が可能なものがある（例えば、特許文献１参照）。特許文献１に記載の携帯電話端末では、アドレス帳の個々のデータ毎にシークレット設定が可能であり、シークレット設定された項目はアドレス帳に表示されない。シークレット設定を解除するためには、ユーザは、待受画面で暗証番号を入力する。暗証番号が正しい場合、シークレット設定が一時的に解除され、ユーザは、アドレス帳でシークレット設定されたデータを視認することができる。
【先行技術文献】
【特許文献】
【０００５】
【特許文献１】特開平１１−３５５４１７号公報
【発明の概要】
【発明が解決しようとする課題】
【０００６】
しかし、従来の入力装置では、ユーザは、シークレット設定されたデータが存在するか否かについて、シークレット設定を解除するまで認識することができない。よって、シークレット設定されたデータの存在を失念したユーザは、シークレット設定により表示されていないデータを再登録するおそれがある。また当該ユーザは、そもそも登録されていないデータであっても、シークレット設定により非表示になっているものと誤解して、シークレット設定を解除した上でデータを探してしまうおそれがある。これらの操作は、ユーザにとって煩わしいものであり、この問題は、シークレット設定されたデータが増えるほど顕著となる。【０００７】
従って、上記のような従来技術の問題点に鑑みてなされた本発明の目的は、シークレット設定されたデータの存在を容易にユーザに認識させる入力装置を提供することにある。
【課題を解決するための手段】
【０００８】
上述した諸課題を解決すべく、第１の発明による入力装置は、
表示項目に対応するデータ毎に非表示設定が可能な入力装置において、
接触を検出するタッチセンサと、
表示部と、
前記タッチセンサに接触している接触物に対して触感を呈示する触感呈示部と、
前記表示部に表示されている表示項目において、当該表示項目に対応する非表示設定されたデータが存在すると、前記タッチセンサに接触している接触物に対して触感を呈示するように前記触感呈示部を制御する制御部と
を備える入力装置である。【０００９】
また、当該入力装置は更に、前記タッチセンサに対する押圧を検出する押圧検出部を備え、前記制御部は、前記表示部に表示されている表示項目において、当該表示項目に対応する非表示設定されたデータが存在し、且つ前記タッチセンサに対する押圧に基づくデータが閾値以上であると、前記タッチセンサに接触している接触物に対して触感を呈示するように前記触感呈示部を制御することが望ましい。【００１０】
また、非表示設定の種類が複数存在する場合、前記制御部は、表示項目に対応するデータの前記非表示設定の種類に対応する複数の閾値を設定することが望ましい。【００１１】
また、前記触感呈示部が触感を呈示した後に、前記タッチセンサが所定の軌跡条件を満たす接触を検出する場合、前記制御部は、前記非表示設定されたデータの非表示設定を解除し、前記非表示設定されたデータを表示するように前記表示部を制御することが望ましい。【００１２】
また、前記制御部は、前記非表示設定されたデータの非表示設定を解除した後に前記タッチセンサが所定の条件を満たす接触を新たに検出する場合、前記非表示設定が解除されたデータを再度非表示にするように前記表示部を制御することが望ましい。【００１３】
また、非表示設定されているデータが複数存在する場合、前記制御部は、前記表示部に表示された表示項目に対応して非表示設定されているデータの個数に応じて、接触物に対する触感の呈示回数が変化するように前記触感呈示部を制御することが望ましい。【００１４】
また、前記制御部は、前記タッチセンサが検出する前記接触の位置が所定の位置である場合に、前記タッチセンサに接触している接触物に対して触感を呈示するように前記触感呈示部を制御することが望ましい。【００１５】
また、前記非表示設定されたデータを有する第１データ群及び前記非表示設定されたデータを有さない第２データ群が存在し、前記第１データ群に対応する第１識別情報及び前記第２データ群に対応する第２識別情報が前記表示部に表示されている場合に、前記制御部は、前記タッチセンサが検出する前記接触の位置が前記第１識別情報が表示されている位置であると、前記タッチセンサに接触している接触物に対して触感を呈示し、前記位置が前記第２識別情報が表示されている位置であると、前記接触物に対して触感を呈示しないように前記触感呈示部を制御することが望ましい。【００１６】
また、前記第１データ群は、非表示設定されていないデータを含み、前記タッチセンサが当該非表示設定されていないデータへの接触を検出すると、前記制御部は、前記非表示設定されていないデータの詳細情報を表示するように前記表示部を制御することが望ましい。
【発明の効果】
【００１７】
上記のように構成された本発明にかかる入力装置によれば、表示項目に対応する非表示設定されたデータが存在する場合、タッチセンサに接触している接触物に対して触感が呈示される。よって、ユーザは、触感の有無により、非表示設定されたデータの存在を容易に認識することができる。
【図面の簡単な説明】
【００１８】
【図１】図１は、本発明の一実施形態に係る入力装置の概略構成を示す機能ブロック図である。
【図２】図２は、図１の表示部の表示画面例である。
【図３】図３は、図１の表示部の表示画面例である。
【図４】図４は、図１の入力装置が行う処理を示すフローチャートである。
【図５】図５は、図１の入力装置の処理を図式的に示す説明図である。
【図６】図６は、図１の入力装置の処理を図式的に示す説明図である。
【図７】図７は、本発明の一実施形態に係る表示部の表示画面例である。
【発明を実施するための形態】
【００１９】
以下、本発明の実施形態について、図面を参照して説明する。
【００２０】
図１は、本発明の一実施形態に係る入力装置の概略構成を示す機能ブロック図である。本発明の入力装置１０１の一例としては、携帯電話端末、ＰＤＡ（Personal Digital Assistant）、携帯音楽プレイヤー、携帯テレビ、携帯ゲーム機、銀行のＡＴＭ（Automated Teller Machine）、駅の券売機が挙げられる。この入力装置１０１は、データ毎に非表示設定（シークレット設定）が可能なものである。非表示設定が可能なことによりユーザの利便性が向上する入力装置１０１のアプリケーションは、例えば、個人情報を扱うアプリケーションであり、例えば、アドレス帳アプリケーション、メールアプリケーション、スケジュールアプリケーション、タスクリスト（ＴｏＤｏリスト）アプリケーション、ブックマークアプリケーション、メモ帳アプリケーションがある。
【００２１】
入力装置１０１は、表示部１０３及びタッチセンサ１０４を備えるタッチパネル１０２と、記憶部１０５と、押圧検出部１０６と、触感呈示部１０７と、制御部１０８とを有する。
【００２２】
表示部１０３は、入力装置１０１が備えるアプリケーションに対応する表示を行うもので、例えば、液晶表示パネルや有機ＥＬ表示パネル等を用いて構成される。入力装置１０１のアプリケーションとしてアドレス帳アプリケーションが実行されている場合、表示部１０３は、例えば図２のようにアドレス帳に登録されている名前の一覧を表示する。図２には、アドレス帳のあ行に登録されている名前の一覧が表示されている。以下、表示部１０３が表示する内容を「表示項目」とする。つまり、図２では、表示項目とは、「アドレス帳のあ行」ということになる。そして、表示項目を構成する要素を当該表示項目に対応する「データ」とする。非表示設定の対象は、表示項目に対応する各データであり、非表示設定されていないデータは、表示部１０３に表示される。つまり、図２では、非表示設定されていないデータとは、「青山」、「飯田」、「尾上」というデータである。表示項目に対応するデータが全て非表示設定されている場合は、当該データは表示部１０３に表示されない。非表示設定されたデータ（非表示設定データ）は、非表示設定が解除された場合に表示部１０３に表示される。例えば、「植木」、「江田」というデータが非表示設定されている場合、当該設定が解除されると、表示部１０３の表示は、図３のようになる。以下、同じカテゴリー（グループ）に属するデータの集合体を「データ群」とする。例えば、あ行に関するデータ群とは、「青山」、「飯田」、「植木」という非表示設定されていないデータと、「植木」、「江田」という非表示設定されているデータとにより構成されるデータの集合体を指す。更に、データ群の構成データの共通属性を示すものを「識別情報」とする。図２では、あ行に関するデータ群の識別情報は、あ行のタブ（図２の「あ」と記載された領域）として表示されている。
【００２３】
なお、表示部１０３は、文字を入力するためのキー又はボタンを表示することもできる。表示部１０３が、キー又はボタンを表示する場合、入力装置１０１は、文字を入力するために機械的なキー又はボタンを備えないこともできる。
【００２４】
タッチセンサ１０４は、ユーザの指やスタイラスペン等（接触物）による接触を検出するもので、抵抗膜方式、静電容量方式、光学式等の公知の方式のもので構成される。タッチセンサ１０４は、接触を検出すると、当該接触の位置に関する接触位置情報を制御部１０８に送る。なお、タッチセンサ１０４が接触を検出する上で、接触物がタッチセンサ１０４に物理的に接触することは必須ではない。例えば、タッチセンサ１０４が光学式である場合は、タッチセンサ１０４はタッチセンサ１０４上の赤外線が指やスタイラスペン等で遮られた位置を検出するため、接触物がタッチセンサ１０４に接触することは不要である。なお、押圧とは、圧力を伴う押下のみに限定されるものではなく、ユーザの指やスタイラスペン等がタッチセンサ１０４にゼロ又は限りなくゼロに近い圧力で接触することも含むものである。
【００２５】
記憶部１０５は、接触に関する各種情報（例えば、接触位置情報）や押圧条件、タッチパネル１０２上での位置条件や所定の軌跡条件等を記憶するとともに、ワークメモリ等としても機能する。押圧条件とは、触感呈示部１０７が非表示設定データの存在を示す触感を呈示する基準となるものであり、例えばタッチセンサ１０４に対する押圧に基づくデータが押圧に関する閾値以上であること等である。
【００２６】
また、位置条件とは、触感呈示部１０７が非表示設定データの存在を示す触感を呈示する基準となりうるものであり、例えばタッチセンサ１０４に対する接触位置が所定の位置であること等である。なお、所定の位置への接触とは、厳密にその位置のみへの接触に限定されるものではなく、例えば、接触物の摺動操作（ドラッグ操作）により、所定の位置を通過した場合の接触も含むものであることに留意されたい。なお、摺動操作とは、接触が維持された状態で接触位置を移動させる操作を指す。
【００２７】
更に、所定の軌跡条件とは、制御部１０８が非表示設定を解除するための基準となるものであり、例えば、接触物による摺動操作の接触軌跡が所定の軌跡と一致すること等である。所定の軌跡条件を満たす接触が検出された場合、非表示設定が解除される。なお、接触軌跡と所定の軌跡との一致とは、厳密な完全一致に限定されるものではない。例えば、誤差範囲を予め定め、当該誤差範囲内であるならば、接触軌跡は所定の軌跡に一致するとみなすことができる。
【００２８】
押圧に関する閾値や所定の軌跡は、制御部１０８が任意に設定できる事項である。そのため、制御部１０８は、表示項目に対応するデータの複数の非表示設定の種類に応じて押圧に関する閾値や所定の軌跡を複数設定することもできる。非表示設定の種類は、非表示設定が可能なアプリケーション毎、同一アプリケーションにおけるデータの属性毎又は秘匿度の度合い毎に分類されるものである。例えば、制御部１０８は、アドレス帳アプリケーションにおいて親戚グループに属する非表示設定データに関し、且つ押圧に関する閾値を友人グループに属する非表示設定データに関し、且つ押圧に関する閾値よりも大きく（又は小さく）設定することができる。また、制御部１０８は、アドレス帳アプリケーションにおける非表示設定解除に対応する所定の軌跡を三角形と設定し、スケジュール帳アプリケーションにおける非表示設定解除に対応する所定の軌跡を四角形と設定することもできる。
【００２９】
押圧検出部１０６は、タッチセンサ１０４に対する押圧を検出するもので、例えば、押圧に応じて物理的または電気的な特性（歪み、抵抗、電圧等）が変化する歪みゲージセンサや圧電素子等の素子等を用いて構成する。押圧検出部１０６が、例えば、圧電素子等を用いて構成された場合、押圧検出部１０６の圧電素子は、タッチセンサ１０４に対する押圧に係る荷重（力）の大きさ（または、荷重（力）の大きさが変化する速さ（加速度））に応じて、電気的な特性である電圧の大きさ（電圧値）が変化する。押圧検出部１０６は、この電圧の大きさ（電圧値（以下、単にデータと称する））を、制御部１０８に通知する。制御部１０８は、押圧検出部１０６がデータを制御部１０８に通知することにより、または、制御部１０８が押圧検出部１０６の圧電素子に係るデータを検出することにより、当該データを取得する。つまり、制御部１０８は、タッチセンサ１０４に対する押圧に基づくデータを取得する。すなわち、制御部１０８は、押圧検出部１０６から押圧に基づくデータを取得する。
【００３０】
触感呈示部１０７は、タッチセンサ１０４を振動させ、タッチセンサ１０４に接触しているユーザの指やスタイラスペン等（接触物）に触感を呈示するもので、例えば、圧電素子等の振動素子を用いて構成される。呈示する触感は、何らかの振動であればよく、制御部１０８は、周波数、周期（波長）、振幅、波形を、呈示する触感に応じて適宜設定することができる。例えば、制御部１０８は、非表示設定が可能なアプリケーション毎（例えば、アドレス帳アプリケーション及びスケジュールアプリケーション毎）やデータの種類毎（例えば、親戚データ及び友人データ毎）に異なる触感を設定することができる。また、制御部１０８は、接触物に呈示される触感の回数を適宜設定することもできる。例えば、制御部１０８は、接触物に呈示される触感の回数を、表示部１０３に表示されている表示項目に対応する非表示設定データの個数に一致させることができる。
【００３１】
また、触感呈示部１０７は、単なる振動ではなく、機械的なキーを押した際に感じられるカチッとした硬質的な触感（リアルなクリック感）を接触物に対して呈示することもできる。触感を呈示する条件（例えば、タッチパネル１０２に対する押圧の荷重が１Ｎ[ニュートン]を超えること（対応して、タッチパネル１０２に対する押圧に基づくデータ（電圧）が１Ｖを超えること））を設定することにより、この条件を満たすまでは、ユーザの圧覚を刺激し、条件を満たすと、触感呈示部１０７がタッチセンサ１０４を振動させてユーザの触覚を刺激することが可能になる。このように、ユーザの圧覚と触覚を刺激することにより、カチッとした硬質的な触感をユーザに呈示できる。タッチセンサ１０４自体は、押圧されても機械的なキーのように物理的に変位しないが、上記のような触感をタッチ対象（接触物）に呈示することにより、ユーザは、機械的なキーを操作した場合と同様のリアルなクリック感を得ることができる。これにより、ユーザは、接触によるフィードバックが本来ないタッチセンサ１０４への操作を違和感なく行うことが可能となる。カチッとした硬質的な触感は、例えば140Hz〜500Hzのサイン波を１周期又は矩形波を１周期呈示することにより実現できる。
【００３２】
なお、押圧検出部１０６及び触感呈示部１０７が圧電素子を用いて構成される場合には、圧電素子を共用して、押圧検出部１０６及び触感呈示部１０７を構成することができる。圧電素子は、圧力が加わると電圧を発生し、電圧が加わると変形するためである。なお、触感呈示部１０７は、振動モータ（偏心モータ）等に基づいて入力装置１０１を振動させることにより、タッチセンサ１０４を間接的に振動させるように構成してもよいし、タッチセンサ１０４に圧電素子を配設することにより、タッチセンサ１０４を直接的に振動させるように構成してもよい。
【００３３】
制御部１０８は、入力装置１０１の各機能ブロックをはじめとして入力装置１０１の全体を制御及び管理する。ここで、制御部１０８は、ＣＰＵ（中央処理装置）等の任意の好適なプロセッサ上で実行されるソフトウェアとして構成したり、処理毎に特化した専用のプロセッサ（例えばＤＳＰ（デジタルシグナルプロセッサ））によって構成したりすることができる。制御部１０８の行う処理については、後述の図４、図５及び図６の説明にて詳述する。
【００３４】
続いて、入力装置１０１が非表示設定（シークレット設定）されたデータの存在をユーザに認識させる方法について、図４、図５及び図６を参照して説明する。図４は、図１の入力装置が行う処理を示すフローチャートである。図５及び図６は、図１の入力装置の処理を図式的に示す説明図である。以下、表示部１０３には、図２のような「アドレス帳のあ行」が表示項目として表示され（図５（ａ））、親戚グループに属する「植木」データ及び友人グループに属する「江田」データが非表示設定されているとする。また、本実施形態では、制御部１０８は、タブ１１１以外への接触に対して１つの押圧に関する閾値（押圧に関する第１閾値）を、またタブ１１１への接触に対して２つの押圧に関する閾値（押圧に関する第２閾値及び第３閾値（押圧に関する第２閾値＜押圧に関する第３閾値））を、設定しているとする。押圧に関する第１閾値は、非表示設定の種類を問わず、非表示設定データの有無に関する基準であるとする。押圧に関する第２閾値は、親戚グループに属する非表示設定データの有無に関する基準であり、押圧に関する第３閾値は、友人グループに属する非表示設定データの有無に関する基準であるとする。
【００３５】
タッチパネル１０２への接触がユーザの指やスタイラスペン等の接触物によって行われると（図５（ｂ）及び（ｃ））、タッチセンサ１０４は、この接触を検出する（ステップＳ１０１）。
【００３６】
制御部１０８は、押圧検出部１０６から、ユーザの指やスタイラスペン等の接触物がタッチセンサ１０４に接触した時点から、タッチセンサ１０４のタッチ面に対する押圧に基づくデータを取得し始める（ステップＳ１０２）。
【００３７】
タッチセンサ１０４が接触を検出すると、制御部１０８は、現在の表示項目に対応する非表示設定されたデータ（非表示設定データ）が存在するか否かを判断する（ステップＳ１０３）。なお、タッチセンサ１０４は、当該接触に関する接触位置情報を制御部１０８に送るものであるため、制御部１０８は、所定の位置への接触が検出された場合に、非表示設定データの存在の確認処理を行うこともできる。例えば、制御部１０８は、タブ１１１への接触が検出された場合に（図５（ｃ））、非表示設定データの存在の確認処理を行うことができる。所定の位置への接触を要求することにより、当該位置を把握していない第三者の不正な使用を防ぐことができる。なお、タッチセンサ１０４が非表示設定されていないデータ（例えば、「青山」）への接触を検出した場合には、制御部１０８は、非表示設定データの存在の確認処理を行わず、非表示設定されていないデータ（「青山」）の詳細情報（電話番号、メールアドレス、住所等）を表示部１０３に表示させることもできる。
【００３８】
表示項目を構成するデータの中に、非表示設定されたデータが存在する場合（ステップＳ１０３のＹｅｓ）、制御部１０８は、押圧検出部１０６により検出された押圧に基づくデータと記憶部１０５に記憶されている押圧に関する閾値との比較を行うことができる（ステップＳ１０４）。
【００３９】
押圧に基づくデータが押圧に関する閾値以上である場合（ステップＳ１０４のＹｅｓ）、制御部１０８は、タッチセンサ１０４に接触している接触物に対して触感を呈示するように触感呈示部１０７を制御する（ステップＳ１０５）。ユーザは、この触感によって、現在の表示項目に対応する非表示設定されたデータが存在することを認識することができる。なお、制御部１０８は、異なる押圧に関する閾値に対応して、異なる触感を設定することができる。例えば、制御部１０８は、押圧に関する第１閾値に対応して第１触感（例えば、ブル）を、押圧に関する第２閾値に対応して第２触感（例えば、ブルル）を、押圧に関する第３閾値に対応して第３触感（例えば、ブルルル）を設定することができる。つまり、ユーザは、第１触感の呈示から非表示設定データが存在することを認識することができる（図５（ｄ））。また、ユーザは、第２触感の呈示から親戚グループに属する非表示設定データ（「植木」）が存在することを認識することができる（図５（ｅ））。また、ユーザは、第３触感の呈示から友人グループに属する非表示設定データ（「江田」）が存在することを認識することができる（図５（ｅ））。
【００４０】
また、制御部１０８は、非表示設定されているデータの個数に応じて、触感の呈示回数が変化するように触感呈示部１０７を制御することができる。本実施形態では、非表示設定データとして「植木」及び「江田」の２つのデータが存在する。この点に鑑み、制御部１０８は、押圧に関する第１閾値以上の押圧に基づくデータで接触が行われた場合、第１触感を２回（ブル、ブル）呈示するように触感呈示部１０７を制御することができる。これにより、ユーザは、非表示設定データの個数を認識することができる。
【００４１】
触感の呈示後、ユーザは、タッチセンサ１０４から接触物を離さずに摺動操作を行うとする（図６（ｆ）及び（ｇ））。タッチセンサ１０４は摺動操作による接触の位置情報を制御部１０８に送り、制御部１０８は当該位置情報から得られる接触軌跡１１３又は１１５が所定の軌跡に一致するか否かを判断する（ステップＳ１０６）。
【００４２】
所定の軌跡を描く摺動操作が行われた場合（ステップＳ１０６のＹｅｓ）、制御部１０８は、現在表示部１０３に表示されている表示項目に対応する非表示設定されたデータの非表示設定を解除する（ステップＳ１０７）。そして、制御部１０８は、非表示設定が解除されたデータを表示部１０３に表示させる（ステップＳ１０８及び図６（ｈ）及び（ｉ））。
【００４３】
なお、制御部１０８は、摺動操作による接触軌跡のみならず摺動操作における押圧に基づくデータも考慮して、非表示設定データを選択して解除することができる。例えば、摺動操作における押圧に基づくデータが押圧に関する第２閾値以上押圧に関する第３閾値未満であった場合、制御部１０８は、親戚グループに属するデータ（「植木」）の非表示設定のみを解除し、表示することができる（図６（ｉ））。
【００４４】
なお、非表示設定の解除は、所定の軌跡を描く摺動操作に限定されるわけではない。例えば、ステップＳ１０５での触感を呈示後に、制御部１０８は、非表示設定の解除用パスワード（暗証番号）入力画面を表示部１０３に表示させることができる。ユーザがパスワードを入力すると、制御部１０８は、入力されたパスワードが正しいか否か判断する。そして、制御部１０８は、パスワードが正しい場合、非表示設定を解除する。
【００４５】
非表示設定が解除された後、ユーザは、接触物をタッチセンサ１０４から離し、タッチセンサ１０４に新たな接触を行ったとする（図６（ｊ）及び（ｋ））。タッチセンサ１０４が新たな接触を検出すると（ステップＳ１０９のＹｅｓ）、制御部１０８は、非表示設定が解除されたデータを再度非表示設定することができる（ステップＳ１１０及び図６（ｌ））。なお、制御部１０８は、新たな接触が所定の条件を満たした場合に、非表示設定が解除されたデータを再度非表示設定することもできる。所定の条件とは、位置条件（例えば、接触位置は所定の位置であるか）や押圧条件（例えば、押圧に基づくデータが押圧に関する閾値以上であるか）である。制御部１０８は、例えば、非表示設定の解除により表示されたデータ（「植木」）上への接触が行われた場合に（図６（ｋ））、非表示設定が解除されたデータを再度非表示設定することができる。
【００４６】
なお、ユーザがアプリケーション終了ボタン（図示せず）等の押下により、アドレス帳アプリケーションが終了し、表示部１０３が待受画面を表示した場合に、制御部１０８は、非表示設定が解除されたデータを再度非表示設定することもできる。
【００４７】
このように本実施形態では、入力装置１０１の制御部１０８は、表示項目に対応する非表示設定されたデータが存在する場合、タッチセンサ１０４に接触している接触物に対して触感を呈示するように触感呈示部１０７を制御する。ユーザは、タッチセンサ１０４に接触することのみにより、触感の有無から非表示設定データの存在を認識することができる。つまり、ユーザは、非表示設定データの存在を認識するために、非表示設定の解除等をする必要はない。そのため、ユーザは容易に非表示設定データの存在を認識できる。また、触感は、タッチセンサ１０４を押圧しているユーザ本人のみにしか呈示されないため、第三者がタッチパネル１０２を覗いていた場合にも、非表示設定データの存在の有無が第三者に知られることはない。
【００４８】
また、本実施形態では、制御部１０８は、表示項目に対応する非表示設定されたデータが存在し、且つタッチセンサ１０４に対する押圧に基づくデータが押圧に関する閾値以上である場合、タッチセンサ１０４に接触している接触物に対して触感を呈示するように触感呈示部１０７を制御することができる。つまり、入力装置１０１は、押圧に基づくデータが押圧に関する閾値以上の場合のみ、触感呈示処理を行えばよく、押圧に基づくデータが押圧に関する閾値未満の場合には、別の処理をユーザに提供することができる。例えば、アドレス帳アプリケーションにおいて、押圧に関する閾値未満の押圧に基づくデータで表示されている名前への接触が行われた場合、制御部１０８は、当該名前に関する詳細情報を表示部１０３に表示させることができる。つまり、ユーザは、押圧を調整することにより、非表示設定データの存在の確認動作と、それ以外の動作とを使い分けることが可能になる。
【００４９】
また、本実施形態では、非表示設定の種類（親戚グループに属するデータの非表示設定及び友人グループに属するデータの非表示設定）が複数存在する場合、制御部１０８は、非表示設定の種類に対応する複数の押圧に関する閾値（押圧に関する第２閾値及び第３閾値）を設定することができる。ユーザは、押圧に関する閾値と非表示設定の種類との関係性を把握しておくことにより、触感が呈示されたときの押圧から、どのようなデータに対して非表示設定されているかを把握することができる。
【００５０】
また、本実施形態では、触感呈示部１０７が触感を呈示した後に、タッチセンサ１０４が所定の軌跡条件を満たす接触を検出する場合、制御部１０８は、非表示設定されたデータの非表示設定を解除し、非表示設定されたデータを表示するように表示部１０３を制御することができる。つまり、ユーザは、非表示設定データの存在を確認するための押圧動作から連続する摺動動作を行うことにより、非表示設定を解除できる。従って、容易に且つ無駄な動作なく非表示設定の解除が可能となる。
【００５１】
また、本実施形態では、制御部１０８は、非表示設定されたデータの非表示設定を解除した後にタッチセンサ１０４が接触を検出する場合、非表示設定が解除されたデータを再度非表示にするように表示部１０３を制御することができる。つまり、ユーザは、タッチセンサ１０４への接触という簡単な動作により、再度非表示設定することができる。
【００５２】
また、本実施形態では、非表示設定されているデータが複数存在する場合、制御部１０８は、非表示設定されているデータの個数に応じて、触感の呈示回数が変化するように触感呈示部１０７を制御することができる。つまり、ユーザは、呈示される触感の回数により、非表示設定されているデータの個数を簡単に認識することができる。
【００５３】
また、本実施形態では、制御部１０８は、タッチセンサ１０４が検出する接触の位置が所定の位置である場合に、タッチセンサ１０４に接触している接触物に対して触感を呈示するように触感呈示部１０７を制御することができる。つまり、所定の位置を把握していない第三者は、非表示設定データの有無を確認することができない。よって、第三者の不正使用を防ぐことができる。
【００５４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５５】
例えば、各部材、各手段、各ステップ等に含まれる機能等は論理的に矛盾しないように再配置可能であり、複数の手段やステップ等を１つに組み合わせたり、或いは分割したりすることが可能である。
【００５６】
上述の本発明の実施形態においては、制御部は、現在の表示項目に対応する非表示設定されたデータ（非表示設定データ）が存在するか否かを判断し、判断結果に応じて触感呈示部に触感を呈示させるとして説明したが、本発明は、現在表示されてない表示項目における非表示設定データの有無に応じて、触感をユーザに呈示させることができる。例えば、現在の表示項目が「アドレス帳のあ行」である場合、あ行のタブ（第１識別情報）が開かれ、他のタブ、例えばか行のタブ（第２識別情報）は閉じている。つまり、表示部１０３には、あ行に関するデータ群（第１データ群）が表示されている。このとき、か行のタブへの接触がタッチセンサにより検出されると、制御部は、第２識別情報に対応するか行に関するデータ群（第２データ群）が非表示設定データを有しているか判断することができる。そして、第２データ群に非表示設定データが存在する場合、制御部は、タッチセンサに接触している接触物に対して触感を呈示するように触感呈示部を制御することができる。また、第２データ群に非表示設定データが存在しない場合、制御部は、タッチセンサに接触している接触物に対して触感を呈示しないように触感呈示部を制御することができる。これにより、ユーザは、識別情報への接触により、現在表示されてない表示項目における非表示設定データの有無について認識することができる。
【００５７】
また、上述の本発明の実施形態おいては、表示項目は「アドレス帳のあ行」であるとして説明したが、本発明は、当該表示項目と異なる階層の表示項目にも適用することができる。例えば、「アドレス帳のあ行」の各名前（以下、青山とする）へ接触を行うと、青山の詳細情報が表示されるとする。つまり、「青山の詳細情報」という表示項目は、「アドレス帳のあ行」の下の階層を意味する。そして、「青山の詳細情報」に対応する非表示設定されたデータが存在する場合には、制御部はユーザの接触に応じて触感を呈示することができる。
【００５８】
また、上述の本発明の実施形態の説明において、非表示設定データが存在することをユーザに認識させるために、触感が呈示されるとして説明したが、ユーザへの通知方法は触感に限定されるものでもない。例えば、アドレス帳アプリケーションにおいてあ行の２人のデータが非表示設定されているとする。この状況で、タッチセンサに接触が行われると、制御部は、図７のように２人分の間隔６１７を設けてあ行の登録データを表示部に表示させることができる。これにより、ユーザは、非表示設定データが２つ存在することを認識することができる。
【００５９】
また、上述の本発明の実施形態の説明において、例えば、押圧に関する閾値「以上」または押圧に関する閾値「未満」のような表現の技術的思想が意味する内容は必ずしも厳密な意味ではなく、入力装置の仕様に応じて、基準となる値を含む場合又は含まない場合の意味を包含するものとする。例えば、押圧に関する閾値「以上」とは、押圧に基づくデータが押圧に関する閾値に達した場合のみならず、押圧に関する閾値を超えた場合も含意し得るものとする。また、例えば押圧に関する閾値「未満」とは、押圧に基づくデータが押圧に関する閾値を下回った場合のみならず、押圧に関する閾値に達した場合、つまり押圧に関する閾値以下になった場合も含意し得るものとする。
【００６０】
また、上述した本発明の本実施形態の説明における「表示部」及び「タッチセンサ」は、表示部とタッチセンサとの両機能を共通の基板に持たせる等により、一体化した装置によって構成されてもよい。このような表示部とタッチセンサとの両機能を一体化した装置の構成の一例としては、液晶パネルが有するマトリクス状配列の画素電極群に、フォトダイオード等の複数の光電変換素子を規則的に混在させたものがある。この装置は、液晶パネル構造によって画像を表示する一方で、パネル表面の所望位置をタッチ入力するペンの先端で液晶表示用のバックライトの光を反射し、この反射光を周辺の光電変換素子が受光することにより、タッチ位置を検出することができる。
【符号の説明】
【００６１】
１０１  入力装置
１０２  タッチパネル
１０３  表示部
１０４  タッチセンサ
１０５  記憶部
１０６  押圧検出部
１０７  触感呈示部
１０８  制御部
１１１  タブ
１１３、１１５  接触軌跡
６１７  間隔
【図１】
2012108214.tif 000003
【図２】
2012108214.tif 000004
【図３】
2012108214.tif 000005
【図４】
2012108214.tif 000006
【図５】
2012108214.tif 000007
【図６】
2012108214.tif 000008
【図７】
2012108214.tif 000009
【国際調査報告】
2012108214.tif 000010
2012108214.tif 000011